(57)【特許請求の範囲】
【請求項１】
昇降路内に配置され、かご室を規定する側板を有するかご本体と、
上記かご室に臨む上記側板の内面に装飾板を固定する固定手段と、を具備し、
上記固定手段は、
上記側板に開けた貫通孔に上記かご室内から挿入されるとともに、上記かご室内からかしめることで上記側板に固定されるかしめナットと、
上記かしめナットに上記かご室内からねじ込まれる第１のねじを介して上記側板の内面に取り付けられ、上記装飾板の上縁部、下縁部および左右の側縁部を受けるベースと、
上記ベースに上記かご室内から第２のねじを介して取り付けられ、上記ベースと協働して上記装飾板の上縁部、下縁部および左右の側縁部を挟み込んで固定する枠体と、を含み、
上記枠体は、上記装飾板の上縁部に対応する第１の横桟部と、上記装飾板の下縁部に対応する第２の横桟部と、上記装飾板の左右の側縁部に対応する一対の縦桟部とを有し、上記枠体の上記第１の横桟部は、上記かご室の上方から上記ベースにねじ込まれる上記第２のねじを介して上記ベースに固定されるとともに、上記枠体の上記第２の横桟部は、上記ベースに取り外し可能に引っ掛けることで上記ベースに保持されていることを特徴とするエレベータ用かご。
【発明の詳細な説明】
【技術分野】
【０００１】
本発明は、かご室を規定する側板の内面に例えば鏡のような装飾板を取り付けたエレベータ用かごに関する。
【背景技術】
【０００２】
エレベータ用のかごは、乗客が乗るかご室を有している。このかご室内に、例えば鏡、あるいは広告、写真等を入れた額のような装飾板を設置する場合、従来では、例えば特許文献１に開示されているように、かご室を規定する側板の内面に目地取付け具および表面目地を取り付けることが行われている。
【０００３】
目地取付け具は、装飾板の端縁に沿うように皿ねじおよびナットを介して側板に固定されている。皿ねじは、かご室の内側から目地取付け具および側板を貫通している。皿ねじの先端は、かごから昇降路内に突出している。ナットは、昇降路の側から皿ねじの先端にねじ込まれており、このねじ込みにより、目地取付け部が側板に固定されている。
【０００４】
表面目地は、かご室内で皿ねじを介して目地取付け具に保持されている。表面目地は、装飾板の端縁を覆っており、このことにより、装飾板の端縁が側板の内面に保持されている。
【特許文献１】特開２００２−２６５１７１号公報  （段落番号０００３、図１０）
【発明の開示】
【発明が解決しようとする課題】
【０００５】
従来のエレベータ用のかごによると、目地取付け具をかご室の側板に固定する皿ねじは、かごから昇降路内に突出しており、この皿ねじの先端にナットがねじ込まれている。このため、目地取付け具を側板に固定する場合、一人の作業者がかご室の内側から目地取付け具に皿ねじを通し、他の作業者が昇降路に突出する皿ねじの先端にナットをねじ込む作業を必要とする。
【０００６】
したがって、かご室内に装飾板を取り付ける作業であるにも拘らず、作業者が昇降路に出て皿ねじにナットをねじ込む作業を強いられることになり、作業性が極めて悪くなる。しかも、昇降路内で作業する作業者の安全を確保したり、昇降路内に作業用の足場を設置するといった余計な作業が付加されるのを否めない。
【０００７】
この結果、装飾板の取り付け作業に多大な手間と労力を要することになり、作業コストが大幅に増加するといった問題がある。
【０００８】
本発明の目的は、かご室内の作業のみで装飾板を側板の内面に固定することができ、装飾板の固定に要する作業時間やコストを削減できるエレベータ用かごを得ることにある。
【課題を解決するための手段】
【０００９】
上記目的を達成するため、本発明の一つの形態に係るエレベータ用かごは、
昇降路内に配置され、かご室を規定する側板を有するかご本体と、
上記かご室に臨む上記側板の内面に装飾板を固定する固定手段と、を備えている。
上記固定手段は、(1)上記側板に開けた貫通孔に上記かご室内から挿入されるとともに、上記かご室内からかしめることで上記側板に固定されるかしめナットと、(2)上記かしめナットに上記かご室内からねじ込まれる第１のねじを介して上記側板の内面に取り付けられ、上記装飾板の上縁部、下縁部および左右の側縁部を受けるベースと、(3)上記ベースに上記かご室内から第２のねじを介して取り付けられ、上記ベースと協働して上記装飾板の上縁部、下縁部および左右の側縁部を挟み込んで固定する枠体と、を含んでいる。
上記枠体は、上記装飾板の上縁部に対応する第１の横桟部と、上記装飾板の下縁部に対応する第２の横桟部と、上記装飾板の左右の側縁部に対応する一対の縦桟部とを有している。上記枠体の上記第１の横桟部は、上記かご室の上方から上記ベースにねじ込まれる上記第２のねじを介して上記ベースに固定され、上記枠体の上記第２の横桟部は、上記ベースに取り外し可能に引っ掛けることで上記ベースに保持されていることを特徴としている。
【発明の効果】
【００１０】
本発明によれば、装飾板をかご室の側板の内面に固定するに当って、作業者がいちいち昇降路に出る必要はなく、かご室内からの作業のみで施工が可能となる。したがって、安全で作業性がよく、装飾板の固定に要する作業時間やコストを削減することができる。
【発明を実施するための最良の形態】
【００１１】
以下本発明の第１の実施の形態を、図１ないし図５に基づいて説明する。
【００１２】
図１に概略的に示すように、エレベータ１は、昇降路２に沿って昇降動する乗りかご３を備えている。乗りかご３は、昇降路２に配置されたかご本体４を有している。かご本体４は、底板５、天井板６および複数の側板７によって構成されているとともに、これら底板５、天井板６および側板７は、かご本体４の内部に乗客が乗り込むかご室３ａを規定している。
【００１３】
側板７は、夫々かご室３ａに臨む内面７ａを有している。複数の側板７のうち、例えば乗降口（図示せず）と向かい合う一つの側板７の内面７ａに鏡８が取り付けられている。鏡８は、装飾板の一例であって、上縁部、下縁部および左右の側縁部を含む外周縁部８ａを備えている。
【００１４】
以下、この鏡８をかご本体４の側板７に固定する構造について、図２ないし図５を参照して説明する。
【００１５】
鏡８は、固定手段としての額縁１０を介して側板７の内面７ａに保持されている。額縁１０は、ベース１１と枠体１２とに分割されている。ベース１１は、鏡８の外周縁部８ａに沿うような四角い枠状をなしている。ベース１１は、固定部１４とフランジ部１５とを有している。固定部１４は、フラットな板状に形成されて、側板７の内面７ａと鏡８の外周縁部８ａとの間に介在されている。固定部１４に複数の貫通孔１６が形成されている。貫通孔１６は、ベース１１の周方向に間隔を存して並んでいる。各貫通孔１６は、鏡８と向かい合う側の開口縁部に座ぐり１６ａを有している。
【００１６】
ベース１１のフランジ部１５は、鏡８の外周端面と向かい合うように、固定部１４の外周縁から起立している。フランジ部１５と固定部１４とで規定される角部の内面には、鏡８を受けるパッド１７が取り付けられている。さらに、フランジ部１５の外面に複数のナット１８が固定されている。ナット１８は、ベース１１の周方向に間隔を存して並んでいる。
【００１７】
図４に最もよく示されるように、乗りかご３の側板７に複数の固定孔１９が形成されている。固定孔１９は、側板７を貫通するとともに、ベース１１の貫通孔１６と合致している。側板７の固定孔１９に夫々かしめナット２０が締結されている。かしめナット２０は、ポップナットあるいはブラインドナットと称する既製品であって、図４に示すように、側板７に固定する以前の段階では、一端にフランジ部２０ａを有する円筒状をなしている。
【００１８】
かしめナット２０は、フランジ部２０ａとは反対側の端部を先頭にした姿勢でかご室３ａの側から側板７の固定孔１９に嵌め込まれる。かしめナット２０を固定孔１９に嵌め込んだ後、かしめナット２０の内側にかご室３ａの側から専用ツール（図示せず）を挿入し、この専用ツールでかしめナット２０を軸方向に圧縮してかしめる。この結果、かしめナット２０の途中に図５に示すような周方向に連続する膨出部２１が形成され、この膨出部２１とフランジ部２０ａとの間で側板７が挾持される。これにより、側板７に対するかしめナット２０の締結作業が完了し、かしめナット２０が側板７と一体化される。
【００１９】
図４に示すように、ベース１１の固定部１４は、複数の皿ねじ２２を介して側板７に固定されている。皿ねじ２２は、第１のねじの一例であって、かご室３ａ内からベース１１の貫通孔１６を通じてかしめナット２０にねじ込まれている。皿ねじ２２の頭部２２ａは、貫通孔１６の座ぐり１６ａに入り込んでいる。そのため、皿ねじ２２の頭部２２ａは、ベース１１の固定部１４からかご室３ａに突出することなく、この固定部１４に埋め込まれている。
【００２０】
額縁１０の枠体１２は、第１の横桟部２４、第２の横桟部２５および一対の縦桟部２６を有している。第１の横桟部２４は、鏡８の上縁部に対応するように鏡８の横方向に延びている。第２の横桟部２５は、鏡８の下縁部に対応するように鏡８の横方向に延びている。縦桟部２６は、鏡８の左側縁部および右側縁部に対応するように縦方向に延びている。第１の横桟部２４、第２の横桟部２５および縦桟部２６は、一体的に連続していてもよいし、互いに分離されていてもよい。
【００２１】
第１の横桟部２４、第２の横桟部２５および縦桟部２６は、夫々支持部２８と延出部２９とを有している。支持部２８は、ベース１１のフランジ部１５を外側から覆っている。支持部２８は、複数の挿通孔３０を有している。挿通孔３０は、フランジ部１５に固定されたナット１８に対応するように、互いに間隔を存して並んでいる。
【００２２】
延出部２９は、支持部２８の先端からベース１１の固定部１４と向かい合うように延出されている。延出部２９のうち固定部１４と向かい合う内面の先端部に鏡８の外周縁部に接するパッド３１が取り付けられている。
【００２３】
枠体１２の支持部２８は、複数の化粧ねじ３２を介してベース１１のフランジ部１５に結合されている。化粧ねじ３２は、第２のねじの一例であって、支持部２８の挿通孔３０を通ってナット１８にねじ込まれている。このねじ込みにより、ベース１１と枠体１２とが一体化されるとともに、ベース１１のパッド１７と枠体１２のパッド３１との間で鏡８の外周縁部８ａが挾持されている。
【００２４】
次に、鏡８を乗りかご３の側板７に固定する手順について説明する。
【００２５】
まず、側板７のうち鏡８を取り付ける領域にかご室３ａの内側から固定孔１９を形成する。次に、固定孔１９にかご室３ａの内側からかしめナット２０を嵌め込むとともに、このかしめナット２０を専用ツールを用いてかご室３ａの内側から側板７に締結する。
【００２６】
引き続いて、ベース１１の固定部１４を側板７の内面７ａに重ね合わせた後、固定部１４の貫通孔１６にかご室３ａの内側から皿ねじ２２を挿入し、この皿ねじ２２をかしめナット２０にねじ込む。このねじ込みにより、額縁１０のベース１１が側板７の内面７ａの定位置に固定される。
【００２７】
次に、ベース１１の固定部１４の上に鏡８の外周縁部８ａを押し付けて、鏡８をベース１１のフランジ部１５で取り囲む。この状態で、フランジ部１５の外側に枠体１２の支持部２８を被せた後、支持部２８の挿通孔３０にかご室３ａの内側から化粧ねじ３２を挿入し、この化粧ねじ３２をナット１８にねじ込む。この結果、枠体１２がベース１１と一体化されるとともに、ベース１１のパッド１７と枠体１２のパッド３１との間で鏡８の外周縁部８ａが強固に挟み込まれ、側板７に対する鏡８の固定作業が完了する。
【００２８】
本発明の第１の実施の形態によると、乗りかご３の側板７に対するベース１１の固定作業およびベース１１に対する鏡８および枠体１２の固定作業は、全てかご室３ａの内側から行われる。そのため、かご室３ａに臨む側板７の内面７ａに鏡８を固定するに当って、作業者がいちいち昇降路２に出て作業する必要はなく、かご室３ａの内側からの作業のみで施工が完了する。
【００２９】
したがって、従来のように、作業者の安全を確保したり、昇降路２内に作業用の足場を設置するといった余計な作業が不要となるとともに、安全で作業性に優れ、鏡８の固定に要する作業時間やコストを削減することができる。
【００３０】
さらに、第１の実施の形態によれば、ベース１１の固定部１４を皿ねじ２２で側板７に固定した状態では、皿ねじ２２の頭部２２ａが貫通孔１６の座ぐり１６ａに入り込んで、皿ねじ２２の頭部２２ａが固定部１４に埋め込まれている。
【００３１】
このため、皿ねじ２２の頭部２２ａが固定部１４から鏡８の外周縁部８ａに向けて突出することはなく、固定部１４と鏡８の外周縁部８ａとの間に皿ねじ２２の頭部２２ａを収めるスペースを確保する必要はない。よって、鏡８を保持する額縁１０を薄くコンパクトに形成することができる。したがって、鏡８を側板７の内面７ａとの間に大きな段差を生じさせることなくかご室３ａに設置することができ、見栄えが良好となるといった利点がある。
【００３２】
本発明は、上記第１の実施の形態に特定されるものではなく、発明の主旨を逸脱しない範囲内で種々変更して実施可能である。
【００３３】
例えば、図６ないし図１０は、本発明の第２の実施の形態を開示している。この第２の実施の形態は、枠体１２をベース１１に固定するための構成が上記第１の実施の形態と相違しており、それ以外の鏡８および額縁１０の構成は、第１の実施の形態と同様である。そのため、第２の実施の形態において、第１の実施の形態と同一の構成部分には同一の参照符号を付して、その説明を省略する。
【００３４】
第２の実施の形態によると、額縁１０の枠体１２は、第１の横桟部２４の二箇所がベース１１のフランジ部１５に化粧ねじ３２を介して固定されているとともに、第２の横桟部２５がベース１１のフランジ部１５に取り外し可能に引っ掛かっている。
【００３５】
図７および図８に示すように、枠体１２の支持部２８は、第１の横桟部２４に対応する位置では、ベース１１のフランジ部１５に対し鏡８の上方から被さっている。化粧ねじ３２は、支持部２８の上方から挿通孔３０を通じてナット１８にねじ込まれている。このため、化粧ねじ３２の頭部３２ａは、上を向いた支持部２８の上面に位置している。
【００３６】
図９および図１０に示すように、枠体２３の延出部２９は、第２の横桟部２５に対応する位置に掛け金４１を有している。掛け金４１は、ベース１１と向かい合う延出部２９の内面に固定されている。掛け金４１は、第２の横桟部２５に沿って額縁１０の横方向に延びている。ベース１１と向かい合う掛け金４１の先端部に、下向きに突出する係止爪４２が形成されている。
【００３７】
さらに、ベース１１のフランジ部１５は、枠体１２の第２の横桟部２５に対応する位置に係止孔４３を有している。係止孔４３を有するフランジ部１５は、第２の横桟部２５の支持部２８と掛け金４１との間に挿入されて、この係止孔４３に掛け金４１の係止爪４２が取り外し可能に引っ掛かるようになっている。係止孔４３に引っ掛かった係止爪４２は、第２の横桟部２５の支持部２８および延出部２９によって覆い隠される。
【００３８】
このような第２の実施の形態において、乗りかご３の側板７に鏡８を固定する手順について説明する。
【００３９】
まず、側板７のうち鏡８を取り付ける領域にかご室３ａの内側から固定孔１９を形成する。次に、固定孔１９にかご室３ａの内側からかしめナット２０を嵌め込むとともに、このかしめナット２０を専用ツールを用いてかご室３ａの内側から側板７に締結する。
【００４０】
引き続いて、ベース１１の固定部１４を側板７の内面７ａに重ね合わせた後、固定部１４の貫通孔１６にかご室３ａの内側から皿ねじ２２を挿入し、この皿ねじ２２をかしめナット２０にねじ込む。このねじ込みにより、額縁１０のベース１１が側板７の内面７ａの定位置に固定される。
【００４１】
次に、ベース１１の固定部１４の上に鏡８の外周縁部を押し付けて、鏡８をベース１１のフランジ部１５で取り囲む。この状態で、ベース１１の下端部に位置するフランジ部１５の係止孔４３に掛け金４１の係止爪４２を引っ掛けるとともに、このフランジ部１５の外側に枠体１２の支持部２８を被せる。
【００４２】
この後、第１の横桟部２４の挿通孔３０に額縁１０の上方から化粧ねじ３２を挿入し、この化粧ねじ３２をナット１８にねじ込む。この結果、枠体１２がベース１１と一体化されるとともに、ベース１１のパッド１７と枠体１２のパッド３１との間で鏡８の外周縁部８ａが強固に挟み込まれ、側板７に対する鏡８の固定作業が完了する。
【００４３】
このような第２の実施の形態によると、枠体１２は、第２の横桟部２５をベース１１に引っ掛けた後、第１の横桟部２４をベース１１に化粧ねじ３２を介して固定することで、ベース１１に保持される。化粧ねじ３２は、額縁１０の上端に位置する第１の横桟部２４の上方からナット１８にねじ込まれ、化粧ねじ３２の頭部３２ａが上を向いた支持部２８の上面に位置している。
【００４４】
このため、例えば鏡８の背が高くて、鏡８の上端がかご室３ａの天井板６に近い位置にあるような場合には、化粧ねじ３２の頭部３２ａがかご室３ａに乗っている乗客の視界に入らなくなる。言い換えると、化粧ねじ３２の頭部３２ａがかご室３ａに乗った乗客から見えなくなる。
【００４５】
それとともに、枠体１２の下端に位置する掛け金４１にしても、枠体１２の支持部２８や延出部２９によって外側から覆われるので、掛け金４１がかご室３ａに乗った乗客から見なくなる。
【００４６】
この結果、枠体１２とベース１１との結合箇所が乗客の目にとまることはなく、額縁１０の見栄えが向上するとともに、悪戯等による化粧ねじ３２の欠損を防止することができる。
【００４７】
なお、本発明において、かご室に設置する装飾板は鏡に特定されるものではない。例えば、鏡の代わりに、ガラス板と支持板とを重ね合わせて、これらガラス板と支持板との間に絵、写真、広告等を挟み込んだ構造の表示板を用いてもよい。
【００４８】
この表示板によれば、絵や写真等がガラス板によって保護されるので、絵や写真等の損傷を防ぐことができる。
【図面の簡単な説明】
【００４９】
【図１】本発明の第１の実施の形態に係るエレベータを概略的に示す断面図。
【図２】本発明の第１の実施の形態に係る鏡の正面図。
【図３】図２のF3-F3線に沿う断面図。
【図４】本発明の第１の実施の形態において、鏡を乗りかごの側板に固定するための各構成要素の位置関係を示す断面図。
【図５】本発明の第１の実施の形態において、かしめナットを側板に締結した状態を示す断面図。
【図６】本発明の第２の実施の形態に係る鏡の正面図。
【図７】図６のF7-F7線に沿う断面図。
【図８】本発明の第２の実施の形態において、鏡の上縁部を乗りかごの側板に固定するための各構成要素の位置関係を示す断面図。
【図９】図６のF9-F9線に沿う断面図。
【図１０】本発明の第２の実施の形態において、鏡の下縁部を乗りかごの側板に固定するための各構成要素の位置関係を示す断面図。
【符号の説明】
【００５０】
２…昇降路、３ａ…かご室、４…かご本体、７…側板、７ａ…内面、８…装飾板（鏡）、８ａ…外周縁部、１０…固定手段（額縁）、１１…ベース、１２…枠体、１６…貫通孔、２０…かしめナット、２２…第１のねじ（皿ねじ）、２４…第１の横桟部、２５…第２の横桟部、２６…縦桟部、３２…第２のねじ（化粧ねじ）。
【図１】
0005177858.tif 000002
【図２】
0005177858.tif 000003
【図３】
0005177858.tif 000004
【図４】
0005177858.tif 000005
【図５】
0005177858.tif 000006
【図６】
0005177858.tif 000007
【図７】
0005177858.tif 000008
【図８】
0005177858.tif 000009
【図９】
0005177858.tif 000010
【図１０】
0005177858.tif 000011